(57)【要約】【課題】簡単且つ安価な手段でノイズが除去されて、誤った火災信号が送出されるのを防止することができる火災検知装置を提供する。【解決手段】火災を検出する検出手段１と、検出手段１による検出信号からノイズを除去するノイズ除去手段２と、ノイズ除去手段２から送出される火災信号を受ける受信機３と、を備えた火災検知装置において、ノイズ除去手段２としてＡＮＤゲート４を用い、ＡＮＤゲート４の二つの入力ａ，ｂのうち、一方ｂは検出信号をそのまま入力し、他方ａは検出信号を遅延回路５を通じて入力するものとなして、同ＡＮＤゲート４から火災信号が出力されるようになした。【選択図】　　　　　図１
2004046349.tif 000002
【特許請求の範囲】
【請求項１】
火災を検出する検出手段と、この検出手段による検出信号からノイズを除去するノイズ除去手段と、このノイズ除去手段から送出される火災信号を受ける受信機と、を備えた火災検知装置であって、ノイズ除去手段としてＡＮＤゲートを用い、このＡＮＤゲートへの二つの入力のうち、一方は検出信号をそのまま入力し、他方は検出信号を遅延回路を通じて入力するものとなして、同ＡＮＤゲートから火災信号が出力されるようになした火災検知装置。
【請求項２】
遅延回路として、抵抗とコンデンサとこれ等の入力側にバッファとを有する回路を用いたことを特徴とする請求項１記載の火災検知装置。
【発明の詳細な説明】
【０００１】
【発明の属する技術分野】
本発明は、ノイズが除去された火災信号を受信機へと送出することができる火災検知装置に関するものである。
【０００２】
【従来の技術】
従来から、図６に示す如く、火災を検出する検出手段１と、この検出手段１による検出信号からノイズを除去するノイズ除去手段２と、このノイズ除去手段２から送出される火災信号を受ける受信機３と、を備えた火災検知装置は知られている。この火災検知装置は自動火災報知システムに用いられるもので、火災を検知して出力する端末９において、火災を検出したときにその検出信号はマイコン１０に入力され、このマイコン１０によって火災か否かの判定が行われ、同マイコン１０はその火災を確定して、同端末９から受信機３へと火災信号が送信されるものである。
【０００３】
この場合、検出手段１からの検出信号からノイズを除去するノイズ除去手段２としてマイコン１０が用いられており、ここで、ノイズ等によりマイコン１０に検出信号として誤った信号が入っても、同マイコン１０のアルゴリズムにより火災か否かの判定が行われて、本当の火災のときにのみ端末９から受信機３へと火災信号が送信される。例えば、特開２００１−１０１５４３公報に示されるような火災感知装置のノイズ除去処理方法がある。ここでは、ＭＰＵ（マイクロプロセッサユニット）にノイズ検出部、ノイズ除去処理部、火災判断部、メモリ等が設けられており、ノイズの影響による誤動作が防止されるものである。
【０００４】
【発明が解決しようとする課題】
しかしながら、上記従来の技術にあっては、ノイズ除去手段２としてマイコン１０を用いているためコストが高くなり、又、マイコン１０での処理プログラムも複雑となって、ノイズを除去処理する方法としては難しく大層なものになるという問題があった。
【０００５】
本発明は、上記従来の技術における問題を悉く解決するために発明されたもので、その課題は、簡単且つ安価な手段でノイズが除去されて、誤った火災信号が送出されるのを防止することができる火災検知装置を提供することである。
【０００６】
【課題を解決するための手段】
本発明の請求項１記載の火災検知装置は、火災を検出する検出手段と、この検出手段による検出信号からノイズを除去するノイズ除去手段と、このノイズ除去手段から送出される火災信号を受ける受信機と、を備えた火災検知装置であって、ノイズ除去手段としてＡＮＤゲートを用い、このＡＮＤゲートへの二つの入力のうち、一方は検出信号をそのまま入力し、他方は検出信号を遅延回路を通じて入力するものとなして、同ＡＮＤゲートから火災信号が出力されるようになしたものである。
【０００７】
したがって、この場合、ノイズ除去手段としてのＡＮＤゲートの二つの入力のうち、一方は検出信号をそのまま入力し、他方は検出信号を遅延回路を通じて入力するものとしているため、検出信号が誤った信号であるとき、この信号は短時間のものであって、遅延回路を通じて入力された際には先にそのまま入力された信号は既になく、ＡＮＤゲートから火災信号が出力されることはない。又、検出信号が火災による本当の信号であるときは、この信号がある程度長い間にわたるものとなり、遅延回路を通じて入力された際に先にそのまま入力された信号がまだ継続していることとなって、ＡＮＤゲートから火災信号が出力される。
【０００８】
このように、ノイズによる誤った検出信号が短時間であるのに対し、本当に火災を検出したときの検出信号は短時間でないので、遅延回路の遅延時間を適宜に設定することにより、前者の誤った検出信号はキャンセルされて火災信号が受信機へと送信されず、逆に、後者の本当の検出信号である場合には、火災信号が同受信機へと送信されることとなる。ここでは、マイコンよりも安価なＡＮＤゲートで簡単にノイズが除去処理されて誤った火災信号の送出は減少され、ノイズの影響による誤動作が防止される。
【０００９】
本発明の請求項２記載の火災検知装置は、上記請求項１記載の火災検知装置において、遅延回路として、抵抗とコンデンサとこれ等の入力側にバッファとを有する回路を用いたことを特徴とするものである。
【００１０】
したがって、この場合は特に、遅延回路がバッファと抵抗とコンデンサとを有するため、バッファにおいて検出信号の雑音除去及び波形の整形が行われ、その後、抵抗とコンデンサにより電荷の充・放電が行われて検知信号を遅延させることができる。そして、その際、整形された波形の検知信号が入ることで、抵抗とコンデンサでは充・放電時間をより正確に計算することができるようになり、遅延回路での遅延時間を設定し易くなる。
【００１１】
【発明の実施の形態】
図１は、本発明の請求項１に対応した一実施形態である火災検知装置を示している。この火災検知装置は、火災を検出する検出手段１と、この検出手段１による検出信号からノイズを除去するノイズ除去手段２と、このノイズ除去手段２から送出される火災信号を受ける受信機３と、を備えたものである。そして、前記ノイズ除去手段２としてＡＮＤゲート４を用い、このＡＮＤゲート４への二つの入力ａ，ｂのうち、一方は検出信号をそのまま入力ｂし、他方は検出信号を遅延回路５を通じて入力ａするものとなして、同ＡＮＤゲート４から火災信号が出力されるようになしている。
【００１２】
この火災検知装置は自動火災報知システム等に用いられるものであり、火災を検知して出力する端末９において、火災を検出したときにその検出信号がノイズ除去手段２へと送信され、同端末９から受信機３へ火災信号として送信されるものである。ここでの端末９はアナログ火災感知器のようなもので、単独若しくは複数のものが防災受信盤のような受信機３と伝送路等を介して接続されるものである。
【００１３】
火災を検出する検出手段１は、煙や温度等を検出するもので、例えば、火災による煙を検出する光電式のものにあっては、発光部を一定周期で発光駆動し、この発光部からの光の煙による散乱光や減衰光等を受光部で受光して電気信号に変換し、煙濃度に対応した煙検出信号、いわゆる、煙アナログ値として検出するものである。そして、検出手段１で検出された検出信号は、ＡＮＤゲート４へと送信されるものである。
【００１４】
ここでは、並列回路となる二経路を介してＡＮＤゲート４へと送信され、一方の経路には遅延回路５が設けられている。この一方の経路の遅延回路５を通じて送信される検出信号は、同遅延回路５にて所定時間遅らされてＡＮＤゲート４に入力ａされる。又、他方の経路では、検出手段１で検出された検出信号がそのままＡＮＤゲート４に入力ｂされる。その際、いずれの経路にあっても、バッファによって信号波形を整形することが好ましいものである。そして、ＡＮＤゲート４では、入力ａ，ｂの信号波形が共に一定レベル以上で存在する場合にのみ、受信機３へと火災信号を送信する。
【００１５】
すなわち、図２に示す如く、ノイズによる誤った検出信号が入力された場合には、ＡＮＤゲート４が火災信号を出力せず、図３に示す如く、本当の火災による検出信号が入力された場合には、ＡＮＤゲート４が火災信号を出力する。図２の場合、ノイズによる誤った検出信号は比較的短時間であるため、遅延回路５で遅らされた入力ａが入ったときには、先のそのままの入力ｂがなくなっており、そのため、ＡＮＤゲート４では火災信号が出力されない。図３の場合、本当の火災による検出信号はある程度の長さを有するため、遅延回路５で遅らされた入力ａが入ったときにも、先のそのままの入力ｂが継続しており、そのため、ＡＮＤゲート４では火災信号が出力されることになる。
【００１６】
遅延回路５における遅延時間ｔは適宜に設定すれば良いものであり、本当の火災である場合とノイズである場合とが判別される程度の時間に設定されるものであって、数秒程度の遅延時間ｔで十分である。ここで、遅延時間ｔを短く設定し過ぎると、ノイズをノイズとして判別除去し難くなるもので、逆に、遅延時間ｔを長く設定し過ぎると、火災であることが確実には判別されるものの、緊急事態を報知するのに不適となる。
【００１７】
次に、遅延回路５の具体例を図４に示し、この具体例である場合は、請求項２に対応したものとなる。この遅延回路５はＡＮＤゲート４の入力ａ側となる経路に設けられており、抵抗７とコンデンサ８とこれ等の入力側にバッファ６とを有する回路である。この場合、図４（１）　の部位では、図５（１）　に示すような信号波形となり、図４（２）　の部位では、図５（２）　に示すような信号波形となる。ここでは、バッファ６によって、基準となるしきい値に対応するよう整形された波形となり、信号波形から雑音が除去されることになる。その後、抵抗７とコンデンサ８とで電荷の充・放電が行われることで信号は遅延され、図４（３）　の部位で、図５（３）　に示すような信号波形となる。
【００１８】
他方、ＡＮＤゲート４の入力ｂ側となる経路では、検出信号が遅延されることなくそのままＡＮＤゲート４へと入力ｂされるものであるが、ここでも、信号波形はバッファにより整形されることが好ましく、その場合には、図４（４）　の部位で、図５（４）　に示すような信号波形となる。なお、前記遅延回路５におけるバッファ６を並列回路に分岐される以前の部位に設けることで、両経路での信号波形が共に整形されるようになしても良い。
【００１９】
そして、ＡＮＤゲート４では、入力ａ，ｂの信号波形が共に一定レベル以上で存在する場合にのみ、受信機３へと火災信号を送信する。図５は、ノイズによる誤った検出信号が入力された場合を示しており、ここでは、図５（３），（４）　に示す如く、入力ａ，ｂの信号波形が同時期に一定レベル以上で存在しないので、ＡＮＤゲート４から火災信号は送信されないものであり、すなわち、図４（５）　の部位で、図５（５）　に示すような信号波形となる。
【００２０】
したがって、この実施形態の火災検知装置においては、ノイズ除去手段２としてのＡＮＤゲート４の二つの入力ａ，ｂのうち、一方は検出信号をそのまま入力ｂし、他方は検出信号を遅延回路５を通じて入力ａするものとしているため、検出信号が誤った信号であるとき、この信号は短時間のものであって、遅延回路５を通じて入力ａされた際には、先にそのまま入力ｂされた信号は既になく、ＡＮＤゲート４から火災信号が出力されることはない。又、検出信号が火災による本当の信号であるときは、この信号がある程度長い間にわたるものとなり、遅延回路５を通じて入力ａされた際に、先にそのまま入力ｂされた信号がまだ継続していることとなって、ＡＮＤゲート４から火災信号が出力される。
【００２１】
このように、ノイズによる誤った検出信号が短時間であるのに対し、本当に火災を検出したときの検出信号は短時間でないので、遅延回路５の遅延時間を適宜に設定することにより、前者のような誤った検出信号はキャンセルされて火災信号が受信機３へと送信されることはなく、逆に、後者のような本当の検出信号である場合は、火災信号が同受信機３へと送信されることになる。ここでは、従来のようなマイコンよりも安価なＡＮＤゲート４で簡単にノイズが除去処理されて誤った火災信号の送出は減少され、ノイズの影響による誤動作が防止される。
【００２２】
更に、この実施形態の火災検知装置において、遅延回路５が抵抗７とコンデンサ８とこれ等の入力側にバッファ６とを有するものであると、バッファ６において検出信号の雑音除去及び波形の整形が行われた後、抵抗７とコンデンサ８により電荷の充・放電が行われて検知信号を遅延させることができる。そして、その際、整形された波形の検知信号が入ることで、抵抗７とコンデンサ８では充・放電時間をより正確に計算することができるようになり、遅延回路５での遅延時間ｔを設定し易いものである。
【００２３】
【発明の効果】
上述の如く、本発明の請求項１記載の火災検知装置においては、誤った検出信号はキャンセルされ、本当の検出信号である場合にのみ火災信号が受信機へと送出され、マイコンよりも安価なＡＮＤゲートで簡単にノイズが除去処理されて誤った火災信号の送出は減少され、ノイズの影響による誤動作が防止される。
【００２４】
又、本発明の請求項２記載の火災検知装置においては、特に、検出信号の雑音除去及び波形の整形が行われた後に、電荷の充・放電が行われて検知信号を遅延させるので、同充・放電時間をより正確に計算することができて、遅延回路での遅延時間を設定し易くなる。
【図面の簡単な説明】
【図１】本発明の一実施形態である火災検知装置を示すブロック回路図。
【図２】同火災検知装置におけるノイズ信号である場合のＡＮＤゲートでの入力信号及び出力信号を示す信号波形図。
【図３】同火災検知装置における本当の信号である場合のＡＮＤゲートでの入力信号及び出力信号を示す信号波形図。
【図４】同火災検知装置における遅延回路の具体例を示す回路図。
【図５】図４の　（１）〜（５）　各部位での信号波形を示す信号波形図。
【図６】従来例である火災検知装置を示すブロック図。
【符号の説明】
１　検出手段
２　ノイズ除去手段
３　受信機
４　ＡＮＤゲート
５　遅延回路
６　バッファ
７　抵抗
８　コンデンサ
【図１】
2004046349.tif 000003
【図２】
2004046349.tif 000004
【図３】
2004046349.tif 000005
【図４】
2004046349.tif 000006
【図５】
2004046349.tif 000007
【図６】
2004046349.tif 000008